(57)【要約】【課題】次に印刷する印刷ジョブの画像データを簡易に指定する。【解決手段】複数ページの画像データを含む印刷ジョブを記憶するＲＡＭ９２と、印刷ジョブに含まれる画像データに基づいて印刷された画像を読み取り、画像に対応した印刷に用いられた画像データを取得する画像読取部３と、画像読取部３が取得した印刷に用いられた画像データに基づいて、印刷に用いられた画像データがＲＡＭ９２に記憶された印刷ジョブに含まれる画像データと一致するか否かを判定する画像判定手段９１ａと、画像判定手段９１ａにより一致すると判定された場合、印刷ジョブに含まれ一致すると判定された画像データの次ページの画像データを選択する画像データ選択手段９１ｂと、画像データ選択手段９１ｂにより選択された画像データを製版処理する製版部２とを備える。【選択図】      図１
2015085612.tif 000002
【特許請求の範囲】
【請求項１】
複数ページの画像データを含む印刷ジョブを記憶する印刷ジョブ記憶手段と、
前記印刷ジョブに含まれる画像データに基づいて印刷された画像を読み取り、前記画像に対応した前記印刷に用いられた画像データを取得する画像データ取得手段と、
前記画像データ取得手段が取得した前記印刷に用いられた画像データに基づいて、前記印刷に用いられた画像データが前記印刷ジョブ記憶手段に記憶された印刷ジョブに含まれる画像データと一致するか否かを判定する画像判定手段と、
前記画像判定手段により一致すると判定された場合、前記印刷ジョブに含まれ前記一致すると判定された画像データの次ページの画像データを選択する画像データ選択手段と、
前記画像データ選択手段により選択された画像データを製版処理する製版手段と、を備えた
ことを特徴とする孔版印刷装置。
【請求項２】
複数ページの画像データを含む印刷ジョブを記憶する印刷ジョブ記憶手段と、
前記印刷ジョブのうち印刷に用いられた画像データを表示する表示手段を備え、
前記表示手段で表示された前記印刷に用いられた画像データを選択取得する画像データ取得手段と、
前記画像データ取得手段が取得した前記印刷に用いられた画像データに基づいて、前記印刷に用いられた画像データが前記印刷ジョブ記憶手段に記憶された印刷ジョブに含まれる画像データと一致するか否かを判定する画像判定手段と、
前記画像判定手段により一致すると判定された場合、前記印刷ジョブに含まれ前記一致すると判定された画像データの次ページの画像データを選択する画像データ選択手段と、
前記画像データ選択手段により選択された画像データを製版処理する製版手段と、を備えた
ことを特徴とする孔版印刷装置。
【発明の詳細な説明】
【技術分野】
【０００１】
本発明は、ドラムに巻装された製版済みマスタに印刷用紙を押圧して印刷する孔版印刷装置に関し、特に、次に印刷する印刷ジョブの画像データを簡易に指定する孔版印刷装置に関する。
【背景技術】
【０００２】
孔版印刷装置は、原稿画像をスキャンして画像データを取得し、この画像データに基づいてサーマルヘッドにより穿孔してマスタを製版する。そして、製版したマスタをドラムに着版し、印刷用紙をこのドラムに給紙してプレスロール等によりドラムに圧接することによって印刷を行う。
【０００３】
このように、孔版印刷装置は、製版されたマスタが着版されたドラムに印刷用紙を圧接することにより印刷を行うので、両面印刷や２色印刷を行う場合、印刷用紙に印刷した後（１回目の印刷）、マスタを取り替え、印刷した印刷用紙に対して再度印刷する（２回目の印刷）必要がある。このとき、１回目の印刷で転写されたインクと、２回目の印刷で転写されたインクとが混合しないように、１回目の印刷で転写されたインクが十分乾燥した後に、２回目の印刷を行うことが望ましい。
【０００４】
そのため、例えば、両面印刷を行う際、ユーザは、印刷ジョブＡの１ページ目の画像データに基づいて、１回目の表面印刷の後、印刷した印刷用紙を乾燥させるため、印刷用紙を別の場所で保管し、乾燥するまでの間、他の印刷ジョブＢに基づいて、別の印刷用紙に印刷させる。そして、印刷ジョブＡの１ページ目の画像データに基づいた１回目の印刷により印刷された印刷用紙が乾燥した後、記憶された印刷ジョブＡを読み出し、印刷ジョブＡの２ページ目の画像データに基づいて、当該印刷用紙に２回目の印刷を行っていた。
【０００５】
特許文献１には、媒体に対して印刷を行うための第１印刷データ（１ページ目の画像データ）と、第１印刷データによる印刷が行われた媒体に対して印刷を行う第２印刷データ（２ページ目の画像データ）とを記憶し、第１印刷データと第２印刷データとからなる第３印刷データを作成し、印刷前に第１印刷データと第２印刷データとからなる第３印刷データの印刷像を表示する印刷画像のプレビュー装置が提案されている。
【先行技術文献】
【特許文献】
【０００６】
【特許文献１】特開２００２−１６６６１６号公報
【発明の概要】
【発明が解決しようとする課題】
【０００７】
しかしながら、特許文献１に記載の印刷画像のプレビュー装置の技術では、第１印刷データ（１ページ目の画像データ）と第２印刷データ（２ページ目の画像データ）とを記憶し完成物の第３印刷データ（１ページ目の画像データと２ページ目の画像データを合わせたもの）をプレビュー表示するが、上述のように、印刷ジョブＡの１ページ目の画像データに基づいて印刷した後、印刷した印刷用紙が乾燥するまでの間に、印刷ジョブＢに基づいて印刷を行い、その後、印刷ジョブＡの２ページ目の画像データに基づいて印刷する場合、ユーザは、印刷装置に記憶された印刷ジョブの中から、印刷ジョブＡを探してから少なくとも２ページ目を指定する必要があり、この作業が非常に煩わしかった。
【０００８】
本発明は、このような問題点に鑑みてなされたもので、次に印刷する印刷ジョブの画像データを簡易に指定することができる孔版印刷装置を提供することを目的とする。
【課題を解決するための手段】
【０００９】
上記目的を達成するため、本発明に係る孔版印刷装置の第１の特徴は、複数ページの画像データを含む印刷ジョブを記憶する印刷ジョブ記憶手段と、前記印刷ジョブに含まれる画像データに基づいて印刷された画像を読み取り、前記画像に対応した前記印刷に用いられた画像データを取得する画像データ取得手段と、前記画像データ取得手段が取得した前記印刷に用いられた画像データに基づいて、前記印刷に用いられた画像データが前記印刷ジョブ記憶手段に記憶された印刷ジョブに含まれる画像データと一致するか否かを判定する画像判定手段と、前記画像判定手段により一致すると判定された場合、前記印刷ジョブに含まれ前記一致すると判定された画像データの次ページの画像データを選択する画像データ選択手段と、前記画像データ選択手段により選択された画像データを製版処理する製版手段と、を備えたことにある。
【００１０】
本発明に係る孔版印刷装置の第２の特徴は、複数ページの画像データを含む印刷ジョブを記憶する印刷ジョブ記憶手段と、前記印刷ジョブのうち印刷に用いられた画像データを表示する表示手段を備え、前記表示手段で表示された前記印刷に用いられた画像データを選択取得する画像データ取得手段と、前記画像データ取得手段が取得した前記印刷に用いられた画像データに基づいて、前記印刷に用いられた画像データが前記印刷ジョブ記憶手段に記憶された印刷ジョブに含まれる画像データと一致するか否かを判定する画像判定手段と、前記画像判定手段により一致すると判定された場合、前記印刷ジョブに含まれ前記一致すると判定された画像データの次ページの画像データを選択する画像データ選択手段と、前記画像データ選択手段により選択された画像データを製版処理する製版手段と、を備えたことにある。
【発明の効果】
【００１１】
本発明に係る孔版印刷装置の第１の特徴によれば、画像判定手段が、画像を読み取り取得された画像データが、印刷ジョブ記憶手段に記憶された印刷ジョブに含まれる画像データと一致するか否かを判定し、画像選択手段が、画像判定手段により一致すると判定された場合、印刷ジョブ記憶手段に記憶された印刷ジョブに含まれる画像データのうち一致すると判定された画像データの次ページの画像データを選択するので、次に印刷する印刷ジョブの画像データを簡易に指定することができる。例えば、印刷ジョブの１ページ目の画像データに基づいた１回目の印刷により印刷された印刷用紙が乾燥した後、ユーザが、いちいち印刷ジョブを選択して、さらに、その印刷ジョブから次に印刷する画像データを選択する作業を行うことなく、自動的に、次に印刷する印刷ジョブの画像データを指定することができる。
【００１２】
本発明に係る孔版印刷装置の第２の特徴によれば、画像判定手段が、表示された画像データを選択取得した画像データが、印刷ジョブ記憶手段に記憶された印刷ジョブに含まれる画像データと一致するか否かを判定し、画像選択手段が、画像判定手段により一致すると判定された場合、印刷ジョブ記憶手段に記憶された印刷ジョブに含まれる画像データのうち一致すると判定された画像データの次ページの画像データを選択するので、次に印刷する印刷ジョブの画像データを簡易に指定することができる。例えば、印刷ジョブの１ページ目の画像データに基づいた１回目の印刷により印刷された印刷用紙が乾燥した後、ユーザが、いちいち印刷ジョブを選択して、さらに、その印刷ジョブから次に印刷する画像データを選択する作業を行うことなく、自動的に、次に印刷する印刷ジョブの画像データを指定することができる。
【図面の簡単な説明】
【００１３】
【図１】本発明の実施例１に係る孔版印刷装置の概略構成図である。
【図２】本発明の実施例１に係る孔版印刷装置の制御部の構成等を示す概略ブロック図である。
【図３】本発明の実施例１に係る孔版印刷装置の動作を示すフローチャートである。
【図４】本発明の実施例１に係る孔版印刷装置の動作を模式的に示した説明図である。
【図５】本発明の実施例２に係る孔版印刷装置の動作を示すフローチャートである。
【図６】本発明の実施例２に係る孔版印刷装置の動作を模式的に示した説明図である。
【発明を実施するための形態】
【００１４】
以下、本発明の実施例に係る孔版印刷装置を、図面を参照しながら詳細に説明する。
【００１５】
（本発明の実施例１）
図１は、本発明の実施例１に係る孔版印刷装置の概略構成図、図２は本発明の実施例１に係る孔版印刷装置の制御部の構成等を示す概略ブロック図である。
【００１６】
図１に示すように、本発明の実施例１に係る孔版印刷装置１は、主に、製版部２と、画像読取部３と、印刷部４と、給紙部６と、排紙部７と、排版部８と、操作パネル部１０と、図２に図示する制御部９とを有している。
【００１７】
画像読取部３は、孔版印刷装置１の上部に設けられ、図示しないコンタクトガラス上に載置された原稿からイメージセンサにより原稿画像から画像データを光学的に読み取り、これを電気信号に変換する。
【００１８】
製版部２は、ロールされた長尺状のマスタ２１を引き出し、外部から受信した印刷ジョブに含まれる画像データを製版画像としてサーマルヘッド２２によりマスタ２１に製版し、マスタカッタ２３によりマスタ２１をカットする。
【００１９】
印刷部４は、メインモータ（図示せず）の駆動力によって図１の矢印方向Ａに回転するドラム４１を有し、ドラム４１に着版されたマスタ２１にインクを供給すると共に、インクが供給されたマスタ２１に対しプレスロール４２等で印刷用紙６１を圧接して、印刷用紙６１に画像データを印刷する。
【００２０】
ドラム４１の外周には、マスタクランプ板３１が設けられており、モータ（図示せず。）等により、クランプ位置とアンクランプ位置との間で回転駆動する。そして、マスタクランプ板３１は、製版部２によって画像データが製版されたマスタ２１の先端部をクランプしてドラム４１に着版させる。
【００２１】
この孔版印刷装置１には、ドラム４１の基準位置を検出し、ドラム４１をマスタクランプ位置等に位置させるための基準位置検出センサ（図示せず）や、メインモータの回転を検出するロータリエンコーダ（図示せず）等が設けられ、基準位置検出センサの検出結果を基にロータリエンコーダの出力パルスを検出することによってドラム４１の回転位置を検出する。
【００２２】
給紙部６は、印刷用紙６１が積層される給紙台６２と、この給紙台６２から最上位置の印刷用紙６１のみを搬送させる１次給紙ロール６３，６４と、この１次給紙ロール６３，６４によって搬送された印刷用紙６１をドラム４１の回転に同期してドラム４１とプレスロール４２間に搬送する一対の２次給紙ロール６５，６６と、この一対の２次給紙ロール６５，６６間に印刷用紙６１が搬送されたか否かを検出する給紙センサ６７とを有する。
【００２３】
排紙部７は、印刷処理された印刷用紙６１をドラム４１から分離する用紙分離爪７１と、この用紙分離爪７１によりドラム４１から離間された印刷用紙６１を吸引する吸引手段や搬送ベルトを有するサクションユニット７２と、このサクションユニット７２の搬送ベルトによって排紙された印刷用紙６１が載置される排紙台７３とを有する。
【００２４】
排版部８は、ドラム４１の外周面よりクランプが解除されたマスタ２１をドラム４１より引き剥がす排版ユニット８１と、この排版ユニット８１によって引き剥がされたマスタ２１を収納する排版ボックス８２とを有し、排版ユニット８１により排版ボックス８２内に搬送されて来たマスタ２１を圧縮機構８３により排版ボックス８２の奥に押し込む。
【００２５】
操作パネル部１０は、表示／入力パネル（図示しない）と、画像の読み取りや、製版や、印刷等を開始させるためのスタートキー、画像の読み取りや、製版や、印刷等を停止させるためのストップキー、印刷枚数等を入力するためのテンキー（いずれも図示せず）等の各種操作キーとを備え、ユーザ操作に基づく操作信号を制御部９に供給する。操作パネル部１０の表示／入力パネルは、前面に配置された感圧式あるいは静電式の透明なタッチパネルと、このタッチパネルの裏面に配置され、各種表示画面を表示する液晶表示パネル（いずれも図示せず）とを有している。ユーザは、液晶表示パネルの表示画面を見ながら、タッチパネルの表面を指などで直接触れることで、表示画面上に表示された各種の押下操作を行うことができる。
【００２６】
次に、孔版印刷装置１の制御部９の構成等を説明する。図２に示すように、制御部９は、ＣＰＵ９１と、画像データを含む印刷ジョブを記憶するメモリであるＲＡＭ９２と、ＣＰＵ９１を動作させるための動作プログラムが格納されたプログラムＲＯＭ９３とを内蔵し、画像読取部３や、製版部２、印刷部４、給紙部６、排紙部７、排版部８、操作パネル部１０等を統括制御する。
【００２７】
特に、本発明の実施例１に係る孔版印刷装置１のＣＰＵ９１では、プログラムＲＯＭ９３に格納された動作プログラムを実行することにより、画像判定手段９１ａと、画像選択手段９１ｂとを実装する。
【００２８】
画像判定手段９１ａは、画像読取部３が取得した印刷に用いられた画像データに基づいて、印刷に用いられた画像データが印刷ジョブ記憶手段に記憶された印刷ジョブに含まれる画像データと一致するか否かを判定する。
【００２９】
画像選択手段９１ｂは、画像判定手段９１ａにより一致すると判定された場合、印刷ジョブに含まれ一致すると判定された画像データの次ページの画像データを選択する。
【００３０】
次に、本発明の実施例１に係る孔版印刷装置１の動作を説明する。
【００３１】
図３は、本発明の実施例１に係る孔版印刷装置１の動作を示すフローチャートである。
【００３２】
まず、孔版印刷装置１は、操作パネル部１０において検索モードの設定ボタンがオン操作され（Ｓ１０１；ＹＥＳ）、スキャン動作が要求されると（Ｓ１０３；ＹＥＳ）、制御部９のＣＰＵ９１は、画像読取部３に対し読取り動作開始指令を送り、画像読取部３に原稿から画像データを読み取らせる（ステップＳ１０５）。
【００３３】
一方、ステップＳ１０３において、スキャン動作が要求されなかった場合（ＮＯ）、制御部９のＣＰＵ９１は、印刷ジョブのうち印刷に用いられた画像データを操作パネル部１０に表示する（Ｓ１０４）。
【００３４】
そして、ユーザ操作により操作パネル部１０に表示された画像データが選択されると（Ｓ１０６；ＹＥＳ）、ＣＰＵ９１は、処理をステップＳ１０７へ移行する。
【００３５】
次に、ＣＰＵ９１の画像判定手段９１ａは、ＲＡＭ９２に記憶された印刷ジョブ内を検索し（Ｓ１０７）、ＲＡＭ９２に記憶された印刷ジョブに含まれる画像データの中に、ステップＳ１０５において画像読取部３により読み取られた画像データ、又はステップＳ１０６において選択された画像データと一致する画像データが存在するか否かを判定する（Ｓ１０９）。ここで、画像データが一致するか否かは、一般的な画像比較の方法を用いることができ、例えば、画像データの画素毎の差分を算出し、この差分の合計が所定の閾値以内であった場合、画像データが一致すると判定するようにしてもよい。
【００３６】
ステップＳ１０９において、ＲＡＭ９２に記憶された印刷ジョブに含まれる画像データの中に、ステップＳ１０５において画像読取部３により読み取られた画像データ及びステップＳ１０６において選択された画像データと一致する画像データが存在しないと判定された場合（ＮＯ）、処理を終了する。
【００３７】
一方、ステップＳ１０９において、ＲＡＭ９２に記憶された印刷ジョブに含まれる画像データの中に、ステップＳ１０５において画像読取部３により読み取られた画像データ、又はステップＳ１０６において選択された画像データと一致する画像データが存在すると判定された場合（ＹＥＳ）、過去に、読み取られた画像データ又は選択された画像データを含む印刷ジョブが実行されたと推定できる。
【００３８】
そこで、画像選択手段９１ｂは、一致すると判定された画像データの次ページの画像データを検索する（Ｓ１１１）。
【００３９】
ステップＳ１１１における検索の結果、一致すると判定された画像データの次ページの画像データがないと判定された場合（Ｓ１１２；ＮＯ）、画像選択手段９１ｂは、処理を終了し、一致すると判定された画像データの次ページの画像データがあると判定された場合（Ｓ１１２；ＹＥＳ）、画像選択手段９１ｂは、次ページの画像データと確認メッセージとを、操作パネル部１０に表示させる（Ｓ１１３）。具体的には、画像選択手段９１ｂは、次ページの画像データのサムネイル画像を生成し、生成したサムネイル画像を操作パネル部１０に表示させると共に、例えば、「この画像を印刷しますか？」という印刷を開始するか否かを確認するための確認メッセージを表示させる。
【００４０】
そして、ユーザが操作パネル部１０からスタートボタンを押下操作すると（Ｓ１１５；ＹＥＳ）、ＣＰＵ９１は、ドラム４１のインク色と画像データの色とが一致するか否かを判定する（Ｓ１１７）。なお、ドラム４１のインク色は、ドラム４１にインク色を示す表示が施されており、この表示を読み込みことにより、セットされたドラム４１のインク色か識別することができる。また、画像データには、インク色のデータが含まれている。そのため、ＣＰＵ９１は、ドラムに施された表示が示すインク色と、画像データに含まれるインク色とが一致するか否かを判定する。
【００４１】
ステップＳ１１７において、ドラム４１のインク色と画像データの色とが一致しないと判定された場合（ＮＯ）、ＣＰＵ９１は、例えば、「○色のドラムをセットしてください。」というようなドラム交換メッセージを、操作パネル部１０に表示させる（Ｓ１１９）。
【００４２】
そして、画像データの色と一致するインク色のドラムがセットされるか（Ｓ１２１；ＹＥＳ）、又は、ステップＳ１１７において、ドラム４１のインク色と画像データの色とが一致すると判定された場合（ＹＥＳ）、適切なドラムがセットされているということであるので、ＣＰＵ９１は、次ページの印刷の準備として、まず、一致した画像データを削除する（Ｓ１２３）。これにより、以降、一致した画像データは比較の対象とならないので、ステップＳ１０９の処理の負荷を低減することができる。
【００４３】
次に、製版部２は、画像選択手段９１ｂにより選択された次ページ目の画像データに基づいて、製版を行った後（Ｓ１２５）、印刷部４が印刷を行う（Ｓ１２７）。
【００４４】
図４は、本発明の実施例１に係る孔版印刷装置１の動作を模式的に示した説明図である。
【００４５】
図４に示すように、２ページの画像データ１０１，２０１を有する印刷ジョブＡと、２ページの画像データ３０１，３０２を有する印刷ジョブＢとが、ＲＡＭ９２に記憶されている。
【００４６】
まず、孔版印刷装置１は、図示しないネットワークを介して接続されたコンピュータから印刷ジョブＡの印刷の実行が要求されると、印刷ジョブＡをＲＡＭ９２に記憶し、製版部２は、印刷ジョブＡの１ページ目の画像データ１０１に基づいて、製版を行った後、印刷部４が印刷を行う。これにより、画像データ１０１に基づいて、表面が印刷された印刷ジョブＡの１ページ目の印刷用紙１０３を得ることができる。ここで、印刷用紙１０３は、１枚とは限らず、数百枚、数千枚の印刷用紙１０３を得るようにしてもよい。
【００４７】
この印刷用紙１０３は、印刷直後は乾燥していないので、直ぐに印刷用紙１０３の裏面を印刷すると、表面の印刷で転写されたインクと、裏面の印刷で転写されたインクとが混合してしまうことがある。そこで、表面の印刷で転写されたインクと、裏面の印刷で転写されたインクとが混合しないように、印刷用紙１０３の表面の印刷で転写されたインクを十分乾燥させる。
【００４８】
印刷用紙１０３を乾燥させている間、他の印刷を行うことができる。そこで、ユーザは、印刷ジョブＢを印刷するために、コンピュータから印刷ジョブＢの印刷の実行を要求させる。孔版印刷装置１は、印刷ジョブＢを受信すると、印刷ジョブＢをＲＡＭ９２に記憶し、製版部２は、印刷ジョブＢの１ページ目の画像データ３０１に基づいて、製版を行った後、印刷部４が印刷を行う。
【００４９】
これにより、画像データ３０１に基づいて、表面が印刷された印刷ジョブＢの１ページ目の印刷用紙３０３を得ることができる。ここで、印刷用紙３０３は、１枚とは限らず、数百枚、数千枚の印刷用紙３０３を得るようにしてもよい。また、印刷用紙３０３も、印刷用紙１０３と同様に、表面の印刷で転写されたインクと、裏面の印刷で転写されたインクとが混合しないように、表面の印刷で転写されたインクを十分乾燥させる。
【００５０】
印刷用紙１０３が乾燥すると、ユーザは、乾燥した印刷用紙１０３のうち１枚を取り出し、画像読取部３にセットし、スキャン動作の要求操作を行う。これにより、制御部９のＣＰＵ９１は、画像読取部３に対し読取り動作開始指令を送り、画像読取部３にセットされた印刷用紙１０３から画像データが読み取られ、読み取られた印刷ジョブＡの１ページ目の画像データ１０５が生成される。
【００５１】
そして、ＣＰＵ９１の画像判定手段９１ａは、ＲＡＭ９２に記憶された印刷ジョブ内を検索し、ＲＡＭ９２に記憶された印刷ジョブＡ，Ｂに含まれる画像データの中に、読み取られた画像データ１０５と一致する画像データが存在するか否かを判定する。
【００５２】
ここでは、画像判定手段９１ａは、印刷ジョブＡの１ページ目の画像データ１０１と、読み取られた印刷ジョブＡの１ページ目の画像データ１０５とが一致すると判定する。
【００５３】
そこで、画像選択手段９１ｂは、一致すると判定された画像データ１０１の次ページ、即ち、印刷ジョブＡの２ページ目の画像データ２０１を選択し、製版部２が、画像選択手段９１ｂにより選択された画像データ２０１に基づいて、製版を行った後、印刷用紙１０３の裏面に印刷を行うことにより、印刷用紙４０１を得る。
【００５４】
以上のように、本発明の実施例１に係る孔版印刷装置１によれば、読み込まれた画像データが、ＲＡＭ９２に記憶された印刷ジョブに含まれる画像データと一致するか否かを判定する画像判定手段９１ａと、画像判定手段９１ａにより一致すると判定された場合、ＲＡＭ９２に記憶された印刷ジョブに含まれる画像データのうち一致すると判定された画像データの次ページの画像データを選択する画像選択手段９１ｂとを備えたので、ユーザは、乾燥した表面が印刷された印刷用紙６１に裏面の印刷を行いたい場合、操作パネル部１０等から印刷ジョブを指定することなく、乾燥した表面が印刷された印刷用紙６１から表面の画像データを読み込ませるという簡易な操作を行うだけで、次に印刷する裏面の画像データが自動的に選択されるので、次に印刷する印刷ジョブの画像データを簡易に指定することができる。
【００５５】
（本発明の実施例２）
本発明の実施例１では、読み込まれた画像データが、ＲＡＭ９２に記憶された印刷ジョブに含まれる画像データと一致するか否かを判定する画像判定手段９１ａと、画像判定手段９１ａにより一致すると判定された場合、ＲＡＭ９２に記憶された印刷ジョブに含まれる画像データのうち一致すると判定された画像データの次ページの画像データを選択する画像選択手段９１ｂとを備えた孔版印刷装置１を例に挙げて説明したが、これに限らない。
【００５６】
本発明の実施例２では、本発明の実施例１で説明したように、画像選択手段９１ｂにより選択された次ページの画像データに基づいて、製版及び印刷が実行された後、さらに、画像判定手段が、画像選択手段９１ｂにより選択された次ページの画像データと同一の画像データを含む印刷ジョブがＲＡＭ９２に記憶されているか否かを判定し、画像判定手段により、ＲＡＭ９２に記憶されていると判定された場合、この印刷ジョブに基づいて、印刷を実行させる孔版印刷装置１を例に挙げて説明する。
【００５７】
図５は、本発明の実施例２に係る孔版印刷装置１の動作を示すフローチャートである。なお、本発明の実施例２に係る孔版印刷装置１の構成については、図１及び図２に示した構成と同一であるので、説明を省略する。
【００５８】
図５に示すように、本発明の実施例１で説明した、画像選択手段９１ｂにより選択された次ページの画像データに基づいて、製版及び印刷が実行された後、さらに、ＣＰＵ９１の画像判定手段９１ａは、印刷した次ページの画像データと同一の画像データが、他の印刷ジョブに存在するか否かを判定する（Ｓ２０１）。
【００５９】
ステップＳ２０１において、印刷した次ページの画像データと同一の画像データが、他の印刷ジョブに存在すると判定された場合（ＹＥＳ）、画像判定手段９１ａは、同一と判定された画像データが、他の印刷ジョブの印刷済みの画像データの次ページの画像データか否かを判定する（Ｓ２０３）。
【００６０】
ステップＳ２０１において、印刷した次ページの画像データと同一の画像データが、他の印刷ジョブに存在すると判定され、かつ、ステップＳ２０３において、その画像データが、他の印刷ジョブの印刷済みの画像データの次ページの画像データであると判定された場合、印刷した次ページの画像データに基づいて製版されたマスタ２１、即ち、現在ドラム４１に着版しているマスタ２１を用いて、他の印刷ジョブの印刷を実行できる可能性が高い。
【００６１】
そこで、ＣＰＵ９１は、該当の印刷ジョブに対応する印刷用紙６１を給紙部６の給紙台６２に載置するよう指示するメッセージを操作パネル部１０に表示させる（Ｓ２０５）。
【００６２】
そして、ユーザは、該当の印刷ジョブ、即ち、印刷した次ページの画像データと同一の画像データを含む印刷ジョブに基づいて、既に表面が印刷済みの印刷用紙６１を給紙部６の給紙台６２に載置した後、操作パネル部１０から所定の印刷設定操作を行った後、印刷スタートを押下操作すると（Ｓ２０７；ＹＥＳ）、ＣＰＵ９１は、次ページの印刷の準備として、まず、印刷済みである前ページの画像データを削除した後（Ｓ２０９）、製版を行うことなく印刷部４が印刷を行う（Ｓ２１１）。
【００６３】
図６は、本発明の実施例２に係る孔版印刷装置１の動作を模式的に示した説明図である。
【００６４】
本発明の実施例１で説明したように、画像選択手段９１ｂにより選択された次ページの画像データに基づいて、製版及び印刷が実行された後、ＲＡＭ９２には、印刷ジョブＡの２ページ目の画像データ２０１が記憶されている。
【００６５】
そこで、ＣＰＵ９１の画像判定手段９１ａは、印刷した次ページの画像データである印刷ジョブＡの２ページ目の画像データ２０１と同一の画像データが、他の印刷ジョブに存在するか否かを判定する。
【００６６】
ここで、印刷ジョブＡの２ページ目の画像データ２０１と、印刷ジョブＢの２ページ目の画像データ３０２が同一の画像データであるとする。
【００６７】
本発明の実施例１で説明したように、印刷ジョブＢの２ページ目の画像データ３０２の前ページである画像データ３０１は、既に印刷済みであるので、画像データ３０２は、他の印刷ジョブの印刷済みの画像データの次ページの画像データであると判定される。
【００６８】
この場合、既に着版されている画像データ２０１に基づいて製版されたマスタ２１を用いて、他の印刷ジョブ（印刷ジョブＢ）の印刷を実行できる可能性が高い。そこで、印刷部４は、印刷ジョブＢ及びユーザ操作に基づいて印刷用紙６１の裏面に印刷を行うことにより、印刷用紙５０１を得る。
【００６９】
以上のように、本発明の実施例２に係る孔版印刷装置１によれば、画像選択手段９１ｂにより選択された次ページの画像データに基づいて、製版及び印刷が実行された後、画像判定手段が、画像選択手段９１ｂにより選択された次ページの画像データと同一の画像データを含む印刷ジョブがＲＡＭ９２に記憶されているか否かを判定し、画像判定手段により、ＲＡＭ９２に記憶されていると判定された場合、この印刷ジョブに基づいて、印刷を実行させるので、既に着版されているマスタ２１を用いて、新たに製版することなく、他の印刷ジョブの印刷を実行することができる。これにより、マスタ２１を節約することができる。
【００７０】
なお、本発明の実施例１，２では、１つのドラム４１を有する印刷部４を備え、印刷ジョブの１ページ目の画像データに基づいて印刷用紙６１の表面を印刷し、２ページ目の画像データに基づいて印刷用紙６１の裏面を印刷する孔版印刷装置１を例に挙げて説明したが、これに限らず、印刷ジョブの１ページ目の画像データに基づいて印刷用紙６１の表面に第１色目のインクで印刷し、２ページ目の画像データに基づいて印刷用紙６１の表面に第１色目と異なる第２色目のインクで印刷するようにしてもよい。
【００７１】
また、ドラム４１は、１つに限らず複数あってもよい。例えば、第１ドラムと第２ドラムとの２つのドラムを備える場合、第１ドラムで第１色目のインクに基づいて、印刷用紙６１の表面を印刷し、機内で反転させながら乾燥させた後、第２ドラムで第２色目のインクに基づいて、印刷用紙６１の裏面を印刷する。その後、両面とも印刷用紙６１が乾燥すると、第１ドラムで第３色目のインクに基づいて、印刷用紙６１の表面を印刷し、機内で反転させながら乾燥させた後、第２ドラムで第４色目のインクに基づいて、印刷用紙６１の裏面を印刷するようにしてもよい。
【００７２】
この場合、印刷ジョブには、第１色目のインクで表面を印刷するための画像データが１ページ目の画像データとなり、第２色目のインクで裏面を印刷するための画像データが２ページ目の画像データとなり、第３色目のインクで表面を印刷するための画像データが３ページ目の画像データとなり、第４色目のインクで裏面を印刷するための画像データが４ページ目の画像データとなる。なお、ここでは、第１色目と第２色目とは同一の色であってもよく、また、第３色目と第４色目とは同一の色であってもよい。
【００７３】
このような第１ドラムと第２ドラムとの２つのドラムを備える場合であっても、読み込まれた画像データが、ＲＡＭ９２に記憶された印刷ジョブに含まれる画像データと一致するか否かを判定する画像判定手段９１ａと、画像判定手段９１ａにより一致すると判定された場合、ＲＡＭ９２に記憶された印刷ジョブに含まれる画像データのうち一致すると判定された画像データの次ページの画像データを選択する画像選択手段９１ｂとを備えているので、ユーザは、乾燥した表面が印刷された印刷用紙６１に裏面の印刷を行いたい場合、操作パネル部１０等から印刷ジョブを指定することなく、乾燥した印刷用紙６１から画像データ（ここでは、第２色目のインクで裏面を印刷された２ページ目の画像データ）を読み込ませるという簡易な操作を行うだけで、次に印刷する画像データ（ここでは、第３色目のインクで表面を印刷される３ページ目の画像データ）が自動的に選択されるので、次に印刷する印刷ジョブの画像データを簡易に指定することができる。
【符号の説明】
【００７４】
１…孔版印刷装置
２…製版部
３…画像読取部（画像データ取得手段）
４…印刷部
６…給紙部
７…排紙部
８…排版部
９…制御部
１０…操作パネル部（表示手段）
９１…ＣＰＵ
９１ａ…画像判定手段
９１ｂ…画像選択手段
９２…ＲＡＭ
９３…プログラムＲＯＭ
【図１】
2015085612.tif 000003
【図２】
2015085612.tif 000004
【図３】
2015085612.tif 000005
【図４】
2015085612.tif 000006
【図５】
2015085612.tif 000007
【図６】
2015085612.tif 000008